(57)【要約】      （修正有）【課題】画像形成処理時間の短縮化を図りつつ、画像形成しないときの多角面鏡等の反射体の予備回転をなくし、反射体の長寿命化を図ることができる画像形成装置。【解決手段】データを入力する入力手段１１と、入力されたデータに対応するレーザ光を回転する反射体３８に照射し、その反射光を像担持体３１上に照射して潜像を形成するとともに、前記レーザ光の照射に先立って前記反射体３８の予備回転が可能な画像形成手段１２と、前記入力手段から入力されたデータに対して前記画像形成手段を使用する第１の機能と、前記入力手段から入力されたデータを、前記画像形成手段を使用することなく記憶媒体に記憶しもしくは外部端末装置に送信する第２の機能とを選択する選択手段２４〜２７と、選択手段により第１の機能が選択された場合には、前記反射体を予備回転させ、第２の機能が選択された場合には、前記反射体の予備回転を禁止する制御手段１６を備える。【選択図】        図３
2004341347.tif 000002
【特許請求の範囲】
【請求項１】
データを入力する入力手段と、
前記入力手段から入力されたデータに対応するレーザ光をモータで回転駆動される反射体に照射し、該反射体からの反射光を像担持体上に照射して潜像を形成するとともに、前記レーザ光の照射に先立って前記モータの駆動による前記反射体の予備回転が可能な画像形成手段と、
前記入力手段から入力されたデータに対して前記画像形成手段を使用する第１の機能と、前記入力手段から入力されたデータを、前記画像形成手段を使用することなく記憶媒体に記憶しもしくは外部端末装置に送信する第２の機能とを選択する選択手段と、
前記選択手段により第１の機能が選択された場合には、前記反射体を予備回転させ、前記選択手段により第２の機能が選択された場合には、前記反射体の予備回転を禁止する制御手段と、
を備えたことを特徴とする画像形成装置。
【請求項２】
入力手段が原稿を読み取る画像読取手段であり、第１の機能は前記画像読取手段で読み取った画像データを複写するコピー機能であり、第２の機能は前記画像読取手段で読み取った画像データを記憶媒体に記憶するスキャン機能、または読み取った画像データを外部端末装置に送信するファクシミリ送信機能である請求項１に記載の画像形成装置。
【請求項３】
前記選択手段は、操作パネル部に設けられた、コピー機能を選択するためのコピー選択ボタン、スキャン機能を選択するためのスキャン選択ボタン、ファクシミリ送信機能を選択するためのファクシミリ選択ボタンである請求項２に記載の画像形成装置。
【発明の詳細な説明】
【０００１】
【発明の属する技術分野】
この発明は、例えばコピー機能、スキャン機能、ファクシミリ（以下、ＦＡＸという）機能、プリンタ機能などを有し、入力部から入力されたデータに基づいて感光体を露光して画像形成（印字ともいう）を行うＭＦＰ（Ｍｕｌｔｉ  Ｆｕｎｃｔｉｏｎ  Ｐｅｒｉｐｈｅｒａｌｓ）などに適用される画像形成装置に関する。
【０００２】
【従来の技術】
一般に、この種の画像形成装置、例えばＭＦＰでは、原稿台に載置された原稿を画像読取部で読み取った画像データ、あるいは外部コンピュータ等から送られてきたプリントデータを、用紙に印字するための画像形成部を備えている。
【０００３】
この画像形成部では、ポリゴンミラー、ガルバノミラー等の多角面鏡からなる反射体をモータで回転駆動するとともに、印字すべきデータに応じて変調されたレーザ光を、前記反射体により像担持体としての感光体に向けて反射させて、該感光体に静電潜像を形成させるものとなされている。
【０００４】
このような画像形成部において、前記反射体は、通常は回転が停止されており、コピーのスタートボタンの操作等により印字指令がなされた時に、モータを起動して回転させるのが通常である。しかし、この場合、モータが定常回転に達するまでは印字動作に移行できないので、スタートボタンを操作してから１枚目の印字動作が開始されるまでのファーストプリント時間が長くなってしまう。
【０００５】
そこで、前記ファーストプリント時間を短縮させるために、従来、原稿カバーが開閉されたり、あるいは原稿台に原稿が載置されたときに、前記スタートボタンが操作されるよりも先に反射体駆動用のモータを起動させる予備回転機能を備えたものが知られている（特許文献１参照）。
【０００６】
また、コピーモード入力や、原稿の原稿台へのセット完了で、反射体を低速回転から高速回転に移行させる技術も提案されている（特許文献２参照）。
【０００７】
【特許文献１】
特開平９−２５１２２８号公報
【０００８】
【特許文献２】
特開平７−２７３９５１号公報
【０００９】
【発明が解決しようとする課題】
しかしながら、上述した従来の公知技術では、例えば、画像読取部で読み取った画像データを外部端末装置に送信するＦＡＸ送信機能、画像読取部で読み取った画像データを電子メールに添付してサーバに送信するインターネットＦＡＸ送信機能、あるいは読み取った画像データをハードディスク装置等の記憶媒体に記憶するスキャン機能を使用するときのように、画像形成部により画像形成を行わない動作においても、原稿カバーが開閉されたり、あるいは原稿台に原稿がセットされる動作に伴い反射体を予備回転させてしまうという欠点があった。これでは、反射体を無駄に回転させることになり、該反射体の寿命を縮めるおそれがあった。
【００１０】
この発明は、上記実情に鑑みてなされたものであり、データを画像形成部で画像形成する場合の処理時間の短縮化を図りつつ、画像形成部を使用しないときの反射体の予備回転をなくして、反射体の長寿命化を図ることができる画像形成装置を提供することを課題としている。
【００１１】
【課題を解決するための手段】
上記課題は、データを入力する入力手段と、前記入力手段から入力されたデータに対応するレーザ光をモータで回転駆動される反射体に照射し、該反射体からの反射光を像担持体上に照射して潜像を形成するとともに、前記レーザ光の照射に先立って前記モータの駆動による前記反射体の予備回転が可能な画像形成手段と、前記入力手段から入力されたデータに対して前記画像形成手段を使用する第１の機能と、前記入力手段から入力されたデータを、前記画像形成手段を使用することなく記憶媒体に記憶しもしくは外部端末装置に送信する第２の機能とを選択する選択手段と、前記選択手段により第１の機能が選択された場合には、前記反射体を予備回転させ、前記選択手段により第２の機能が選択された場合には、前記反射体の予備回転を禁止する制御手段と、を備えたことを特徴とする画像形成装置によって解決される。
【００１２】
この画像形成装置では、選択手段により第１の機能が選択されて、データを画像形成するために画像形成手段が使用される場合には、制御手段により反射体駆動用のモータが起動されて該反射体の予備回転がなされ、これにより、画像形成の時間が短縮される。また、選択手段により第２の機能が選択された場合、つまり画像形成手段を使用しない操作が選択された場合には、制御手段により前記モータの回転が禁止され、反射体の予備回転が禁止され、これによって反射体の無駄な回転がなくなり、該反射体の寿命を延ばすことができる。
【００１３】
上記画像形成装置において、入力手段が原稿を読み取る画像読取手段であり、第１の機能は前記画像読取手段で読み取った画像データを複写するコピー機能であり、第２の機能は前記画像読取手段で読み取った画像データを記憶媒体に記憶するスキャン機能、または読み取った画像データを外部端末装置に送信するＦＡＸ送信機能である構成としても良い。
【００１４】
この場合には、コピー機能が選択されると、反射体の予備回転により画像形成時間が短縮され、また、スキャン機能またはＦＡＸ送信機能が選択されると、反射体の予備回転が禁止され、反射体の無駄な回転がなくなる。
【００１５】
また、前記選択手段は、操作パネル部に設けられた、コピー機能を選択するためのコピー選択ボタン、スキャン機能を選択するためのスキャン選択ボタン、ＦＡＸ送信機能を選択するためのＦＡＸ選択ボタンである構成としても良い。
【００１６】
上記各ボタンの選択により、各機能の選択操作が容易に行える。
【００１７】
【発明の実施の形態】
以下、この発明の一実施形態を図面に基づいて説明する。
【００１８】
図１は、この発明の一実施形態に係る画像形成装置が適用された画像形成システムを示す構成図である。
【００１９】
図１において、この画像形成システムＡは、画像形成装置としてのＭＦＰ１と、外部端末装置としてのパーソナルコンピュータＰＣ２、サーバ３およびＦＡＸ４を備え、ＭＦＰ１には、ＰＣ２およびサーバ３がＬＡＮなどのネットワークＮＷを介して接続されており、さらにＦＡＸ４が電話回線Ｗを介して接続されている。
【００２０】
図２は、前記ＭＦＰ１のコピー機能を実現するための要部を示す構成図である。
【００２１】
図２において、ＭＦＰ１の筐体１Ａには、その上部に原稿画像を読み取る画像読取部１１が設けられており、また、筐体１Ａの右側部上面に操作パネル部１５が設けられ、筐体１Ａの左側部に排紙トレイ４２が設けられている。さらに、筐体１Ａの内部には、画像形成部１２などが配備され、また、下部には、用紙Ｍが収容された給紙部４３が配置されている。
【００２２】
前記画像読取部１１は、原稿台３９に置かれた原稿の画像に光を照射する光源４０と、ＣＣＤ４１と、原稿画像からの反射光をガイドしてＣＣＤ４１に受光させる光学系４４を備えている。なお、原稿台３９は、開閉可能なカバー４５で被われているとともに、このカバー４５の開閉を検知する開閉検知センサ１８（図３に示す）が設けられている。
【００２３】
また、前記ＣＣＤ４１に受光された画像データは、ＣＣＤ４１により電気信号に変換されたのち、図示は省略したが画像処理部において必要な画像処理が施された後、レーザ駆動信号に変換されて、画像形成部１２の半導体レーザ装置３７に出力される。
【００２４】
前記画像形成部１２は、画像データに応じたレーザー光Ｌを出射する前記半導体レーザ装置３７と、レーザ光Ｌで潜像が形成されるとともに一定方向例えば矢印ａ方向へ回転駆動される像担持体としての感光体ドラム３１とを有している。さらに、前記感光体ドラム３１の周囲に、帯電チャージャ３２、露光用の光学系３３、現像器３４、転写部３５、およびクリーナ３６などを有している。また、排紙トレイ４１の近傍に、周知の動作で画像が転写された用紙Ｍ上の画像を定着させる定着ローラ３７Ａ，３７Ｂを有している。
【００２５】
前記光学系３３は、半導体レーザ装置３７からのレーザ光Ｌを前記感光体３１の表面に照射させて静電潜像を形成させるための反射体としての多角面鏡、例えばポリゴンミラ−３８を有している。このポリゴンミラー３８は、モータ１３で回転駆動されるようになっている。
【００２６】
図３は、前記ＭＦＰ１の電気的構成を示すブロック図である。
【００２７】
図２おいて、ＭＦＰ１は、前記開閉検知センサ１８と、画像読取部１１と、画像形成部１２と、インターフェース（Ｉ／Ｆ）部１４と、操作パネル部１５と、コントローラ部１６と、ハードディスク装置（ＨＤＤ）１７とを備えている。
【００２８】
前記開閉検知センサ１８は、例えば、光学式スイッチや機械式スイッチ等から構成される。
【００２９】
前記画像読取部１１はデータの入力手段として機能し、前述したように、原稿台３９に載置された原稿画像を読み取るものである。また、前記画像形成部１２は、画像読取部１１で読み取った画像データや、ＰＣ２、サーバ３、ＦＡＸ４等からのデータを用紙Ｍに印字するものであり、前述のようにポリゴンミラー３８とその駆動用モータ１３を備えている。
【００３０】
前記Ｉ／Ｆ部１４は、ＰＣ２、サーバ３およびＦＡＸ４との間でデータの授受などを行う際の通信手段として機能し、ＰＣ２、サーバ３およびＦＡＸ４からのデータを入力する入力手段として機能する。勿論、ＰＣ２、サーバ３およびＦＡＸ４側にも、図示しないが、同様のＩ／Ｆ部を備えている。
【００３１】
前記操作パネル部１５には、図４に示すように、液晶表示素子（ＬＣＤ）などからなる表示部２１、各種キーなどの操作部２２、およびコピー開始用のスタートボタン２３の他、ＦＡＸ選択ボタン２４、コピー選択ボタン２５、インターネットＦＡＸ（図面ではＩ−ＦＡＸと記す）選択ボタン２６、スキャン選択ボタン２７が備えられている。
【００３２】
前記ＦＡＸ選択ボタン２４は、画像読取部１１で読み取った画像データを電話回線Ｗを介してＦＡＸ４等に送信するＦＡＸ送信機能をＭＦＰ１に実行させるボタンであり、コピー選択ボタン２５は、画像読取部１１で読み取った画像データを画像形成部１２で用紙に印字させるコピー機能を実行させるボタンである。
【００３３】
また、前記インターネットＦＡＸ選択ボタン２６は、画像読取部１１で読み取った画像データをインターネットを介してサーバ３等にメール送信するインターネットＦＡＸ送信機能を実行させるボタンであり、スキャン選択ボタン２７は、画像読取部１１で読み取った画像データを記憶媒体であるＨＤＤ装置１７に記憶するスキャン機能を実行させるボタンである。
【００３４】
また、ＭＦＰ１は、上記の各機能の他、前記Ｉ／Ｆ部１４を介して、ＰＣ２等から受信したプリントデータや、サーバ３から読み込んだ電子メール添付データや、ＦＡＸ４からの送信データを、画像形成部１２により用紙に印字するプリント機能も実行できるものとなされている。
【００３５】
これら機能のうち、コピー機能、プリント機能については、画像形成部１２を使用して画像形成（印字）を行う機能（第１の機能）であり、ＦＡＸ送信機能、インターネットＦＡＸ送信機能、スキャン機能は画像形成が不要であるため、画像形成部１２を使用しない機能（第２の機能）である。
【００３６】
前記コントローラ部１６は、図示しないＣＰＵを備え、ＭＦＰ１の全体を統括的に制御するが、この実施形態との関連で言えば、例えば、ＭＦＰ１が待機中の状態即ち装置が稼働していない状態において、コピー機能、プリント機能のように、画像形成部１２を使用して画像形成を行う第１の機能が選択された場合には、画像形成に先立って印字時間短縮のためにモータ１３の起動によりポリゴンミラー３８の予備回転を行わせ、また、待機中に画像形成部１２を使用しない第２の機能が選択された場合には、画像形成の必要はないので、ポリゴンミラー３８の予備回転を行わないように制御する。この点は後に詳述する。
【００３７】
前記ＨＤＤ１７は、画像読取部１１で読み取られた画像データや他のデータを記憶する。
【００３８】
次に、前記コントローラ部１６によるポリゴンミラー３８の予備回転の制御の内容を、図５のフローチャートを参照して説明する。ここでは、ＭＦＰ１における第１の機能としてコピー機能が選択され、第２の機能としてＦＡＸ送信機能が選択されるものとして説明する。なお、以下の説明ならびに図面では、ステップをＳと略記する。
【００３９】
図５において、コントローラ部１６は、ＭＦＰ１の待機中またはポリゴンミラー３８の予備回転中に、Ｓ１０１で、機能を切り換えるボタン（選択ボタン）２４〜２７が押されたか否かを判断し、選択ボタン２４〜２７が押されていると（Ｓ１０１の判定がＹＥＳ）、Ｓ１０２に進む。
【００４０】
選択ボタン２４〜２７が押されていなければ（Ｓ１０１の判定がＮＯ）、Ｓ１０３で、原稿カバー４５の開閉があったか否かを開閉検知センサ１８の信号に基づいて判断し、原稿カバー４５の開閉があれば（Ｓ１０３の判定がＹＥＳ）、原稿台３９への原稿のセット動作が完了したものと判断してＳ１０２に進み、原稿カバー４５の開閉がなければ（Ｓ１０３の判定がＮＯ）、終了する。
【００４１】
Ｓ１０２では、前記選択ボタン２４〜２７が押される前までに選択されていた状態が、コピー機能選択中であったか否かを判断し、コピー機能選択中であれば（Ｓ１０２の判定がＹＥＳ）、Ｓ１０４で予備回転判断処理１を実行して終了する。コピー機能選択中でなければ（つまりＦＡＸ機能選択中であれば）（Ｓ１０２の判定がＮＯ）、Ｓ１０５で予備回転判断処理２を実行して終了する。
【００４２】
なお、図５において、待機中に原稿カバー４５の開閉があった場合において（Ｓ１０１にてＮＯ、Ｓ１０３にてＹＥＳ）、Ｓ１０２でコピー機能選択中か否かを判断可能とするために、初期状態（待機中即ち装置が稼動していない状態）でいずれかの機能が優先的に設定されるデフォルトが必要である。
【００４３】
例えば、初期状態でコピーモードが設定されている場合、デフォルト＝コピーモードとなる。
【００４４】
なお、この実施形態では、原稿カバー４５の開閉動作により原稿台３９への原稿のセット動作が完了したものと判断しているが、公知の自動原稿搬送装置（ＡＤＦ）において、原稿の載置を検出するセンサを設け、このセンサにより原稿の載置を検出することにより、原稿のセット動作が完了したものと判断するように構成してもよい。
【００４５】
次に、前記予備回転判断処理１（図５のＳ１０４）のサブルーチンの内容を図６のフローチャートを参照して説明する。
【００４６】
図６において、Ｓ２０１では、押された選択ボタン２４〜２７がコピー選択ボタン２５であるか、あるいは原稿カバー４５の開閉があったか否かを判断する。
【００４７】
コピー選択ボタン２５が押された場合、あるいは原稿カバー４５の開閉があった場合には（Ｓ２０１の判定がＹＥＳ）、Ｓ２０２で、ポリゴンミラー３８は予備回転中か否かを判断し、ポリゴンミラー３８が予備回転中であれば（Ｓ２０２の判定がＹＥＳ）、そのままリターンする。ポリゴンミラー３８が予備回転中でなければ（Ｓ２０２の判定がＮＯ）、画像形成部１２を使用する機能であるため、Ｓ２０３で、ポリゴンミラー３８の予備回転を実行してリターンする。この予備回転により、画像形成の時間が短縮される。
【００４８】
一方、前記押された選択ボタンがコピー選択ボタン２５ではない場合、あるいは原稿カバー４５の開閉がない場合には（Ｓ２０１の判定がＮＯ）、Ｓ２０４で、ポリゴンミラー３８の予備回転中か否かを判断する。予備回転中であれば（Ｓ２０４の判定がＹＥＳ）、Ｓ２０５では、予備回転を中断してリターンし、予備回転中でなければ（Ｓ２０４の判定がＮＯ）、そのままリターンする。
【００４９】
次に、前記予備回転判断処理２（図５のＳ１０５）のサブルーチンの内容を図７のフローチャートを参照して説明する。
【００５０】
図７において、Ｓ３０１で、ＦＡＸ選択ボタン２４が押されたか否かを判断し、ＦＡＸ選択ボタン２４が押されていれば（Ｓ３０１の判定がＹＥＳ）、そのままリターンする。ＦＡＸ選択ボタン２４が押されていなければ（Ｓ３０１の判定がＮＯ）、Ｓ３０２では、ポリゴンミラーの予備回転を実行してリターンする。
【００５１】
具体例を挙げると、ＦＡＸ機能選択中にコピー選択ボタン２５を押した場合には、図５のＳ１０１でＹＥＳ、Ｓ１０２でＮＯとなり、Ｓ１０５の予備回転判断処理２に進む。そして、図７のＳ３０１でＮＯとなり、Ｓ３０２でポリゴンミラー３８の予備回転が開始される。つまり、回転停止していたポリゴンミラー３８が予備回転する。
【００５２】
また、コピー選択中に原稿カバー４５を開閉し、ＦＡＸ選択ボタン２４を押した場合には、コピー選択中における原稿カバー４５の開閉により、図５のＳ１０１でＮＯ、Ｓ１０３でＹＥＳ、Ｓ１０２でＹＥＳとなり、Ｓ１０４の予備回転判断処理１に進む。そして、図６のＳ２０１でＹＥＳとなり、Ｓ２０２を経てポリゴンミラー３８は予備回転する。
【００５３】
次に、ＦＡＸ選択ボタン２４の操作により、図５のＳ１０１でＹＥＳ、Ｓ１０２でＹＥＳとなり、Ｓ１０４の予備回転判断処理１に進む。図６のＳ２０１はＮＯとなり、Ｓ２０４に進み、ポリゴンミラー３８は予備回転中であるからＳ２０４がＹＥＳとなり、Ｓ２０５で、ポリゴンミラー３８の予備回転が中断される。つまり、予備回転していたポリゴンミラー３８が、ＦＡＸ選択ボタンの選択により予備回転が禁止される。これにより、ポリゴンミラー３８の無駄な回転が避けられる。
【００５４】
なお、上記実施形態では、第１の機能をコピー機能として説明したが、第１の機能がプリント機能であっても良い。この場合は、図５および図６における原稿カバー４３の開閉の有無の判断は不要となる。また、プリント機能の場合には、例えば、プリントジョブが入力された時点やコントローラ部１６がプリントジョブであることを判断した時点等で、プリント機能が選択されたものと判断すればよく、この場合には、コントローラ部１６が選択手段となる。
【００５５】
また、第２の機能をＦＡＸ送信機能として説明したが、インターネットＦＡＸ送信機能やスキャン機能であっても良い。
【００５６】
また、前記実施形態では、多角面鏡がポリゴンミラー３８である場合を例に説明したが、ポリゴンミラー３８に限らず、ガルバノミラー等の多角面鏡であってもよい。
【００５７】
以上説明した具体的実施形態には、以下の構成を有する発明が含まれる。
（１）入力手段が、原稿載置部に載置された原稿を読み取る画像読取手段であり、
第１の機能は前記画像読取手段で読み取った画像データを複写するコピー機能であり、第２の機能は前記画像読取手段で読み取った画像データを記憶媒体に記憶するスキャン機能、または読み取った画像データを外部端末装置に送信するファクシミリ送信機能であり、
制御手段は、前記画像読取手段の原稿載置部への原稿のセット完了により反射体を予備回転させるとともに、選択手段により第１の機能が選択された場合には、前記反射体の予備回転を持続させ、前記選択手段により第２の機能が選択された場合には、前記反射体の予備回転を停止させる請求項１に記載の画像形成装置。
【００５８】
この場合には、画像読取手段の原稿載置部への原稿セットが完了すると、制御手段は、反射体を予備回転させる。そして、選択手段により第１の機能が選択された場合には、前記反射体の予備回転を持続させ、前記選択手段により第２の機能が選択された場合には、前記反射体の予備回転を停止させる。従って、画像形成手段が使用される場合には、画像形成の時間を短縮でき、画像形成手段を使用しない場合には、反射体の予備回転が禁止され、これによって反射体の無駄な回転をなくすことができる。
（２）データを入力する入力手段と、
前記入力手段から入力されたデータに対応するレーザ光を反射し像担持体上に照射して潜像を形成するための多角面鏡と、
前記多角面鏡を駆動するモータと、
前記モータによる多角面鏡の駆動により、前記入力手段から入力されたデータに対応する潜像を前記像担持体上に形成する第１の機能と、前記入力手段から入力されたデータを、前記像担持体上に潜像形成することなく記憶媒体に記憶しもしくは外部端末装置に送信する第２の機能とを選択する選択手段と、
前記選択手段により第１の機能が選択された場合には、前記多角面体をレーザ光の反射前に予備回転させ、前記選択手段により第２の機能が選択された場合には、前記多角面体の予備回転を禁止する制御手段と、
を備えたことを特徴とする画像形成装置。
（３）入力手段からデータを入力するステップと、
前記入力手段から入力されたデータに対応するレーザ光をモータで回転駆動される反射体に照射し、該反射体からの反射光を像担持体上に照射して潜像を形成する第１の機能と、前記入力手段から入力されたデータを、潜像形成することなく記憶媒体に記憶しもしくは外部端末装置に送信する第２の機能とを選択するステップと、
前記選択ステップにより第１の機能が選択された場合には、前記反射体をレーザ光の反射による潜像形成に先だって予備回転させ、第２の機能が選択された場合には、前記反射体の予備回転を禁止する制御ステップと、
を含むことを特徴とする画像形成方法。
（４）入力部が原稿を読み取る画像読取部であり、第１の機能は前記画像読取部で読み取った画像データを複写するコピー機能であり、第２の機能は前記画像読取部で読み取った画像データを記憶媒体に記憶するスキャン機能、または読み取った画像データを外部端末装置に送信するファクシリ送信機能である前項（３）に記載の画像形成方法。
（５）前記選択は、操作パネル部に設けられた、コピー機能を選択するためのコピー選択ボタン、スキャン機能を選択するためのスキャン選択ボタン、ファクシミリ送信機能を選択するためのファクシミリ選択ボタンの操作により行われる前項（４）に記載の画像形成方法。
【００５９】
【発明の効果】
請求項１に係る発明によれば、選択手段により第１の機能が選択されて、データを画像形成手段によって画像形成する場合には、制御手段により反射体駆動用のモータが起動されて該反射体の予備回転がなされ、これにより、画像形成の時間を短縮できる。一方、選択手段により第２の機能が選択された場合、つまり画像形成手段を使用しない操作が選択された場合には、制御手段により前記モータの回転が停止され、反射体の予備回転が禁止されるから、これによって反射体の無駄な回転をなくすことができ、反射体の寿命を延ばすことができる。
【００６０】
請求項２に係る発明によれば、入力手段が原稿を読み取る画像読取手段であり、第１の機能は前記画像読取手段で読み取った画像データを複写するコピー機能であり、第２の機能は前記画像読取手段で読み取った画像データを記憶媒体に記憶するスキャン機能、または読み取った画像データを外部端末装置に送信するＦＡＸ送信機能であるから、コピー機能が選択されると、反射体の予備回転により画像形成時間を短縮でき、また、スキャン機能またはＦＡＸ送信機能が選択されると、反射体の予備回転が禁止され、反射体の無駄な回転をなくすことができる。
【００６１】
請求項３に係る発明によれば、前記選択手段は、操作パネル部に設けられた、コピー機能を選択するためのコピー選択ボタン、スキャン機能を選択するためのスキャン選択ボタン、ファクシミリ送信機能を選択するためのファクシミリ選択ボタンであるから、これら各ボタンの選択により、各機能の選択操作を容易に行うことができる。
【図面の簡単な説明】
【図１】この発明の一実施形態に係る画像形成装置が適用された画像形成システムを示す構成図である。
【図２】同じく画像形成装置の概要を示す構成図である。
【図３】同じく画像形成装置の電気的構成を示すブロック図である。
【図４】同じく画像形成装置における操作パネル部の説明図である。
【図５】同じく画像形成装置におけるポリゴンミラーの回転制御の内容を示すフローチャートである。
【図６】ポリゴンミラーの予備回転判断処理１（図５のＳ１０４）のサブルーチンを示すフローチャートである。
【図７】ポリゴンミラーの予備回転判断処理２（図５のＳ１０５）のサブルーチンを示すフローチャートである。
【符号の説明】
１・・・・・・・・・・・・・ＭＦＰ（画像形成装置）
２，３，４・・・・・・・・・外部端末装置
１１・・・・・・・・・・・・画像読取部（入力手段）
１２・・・・・・・・・・・・画像形成部
１３・・・・・・・・・・・・駆動モータ
１５・・・・・・・・・・・・操作パネル部
１６・・・・・・・・・・・・コントローラ部（制御手段）
１７・・・・・・・・・・・・ハードディスク装置（記憶媒体）
２４，２５，２６，２７・・・選択ボタン
３１・・・・・・・・・・・・感光体ドラム（像担持体）
３８・・・・・・・・・・・・ポリゴンミラー（反射体）
【図１】
2004341347.tif 000003
【図２】
2004341347.tif 000004
【図３】
2004341347.tif 000005
【図４】
2004341347.tif 000006
【図５】
2004341347.tif 000007
【図６】
2004341347.tif 000008
【図７】
2004341347.tif 000009